(57)【要約】      （修正有）【課題】簡単な構造で、容易にガット張りができるガット張り支援器具を提供する。【解決手段】ラケットのガット張り支援器具１は、ラケットに張られた一方のガットＧ１の上下を交互に移動させるための金属製の頭部２と、頭部の後端部に配置され、他方のガットＧ２を差し込み保持する尾部３とを備える。尾部に他方のガットを保持させた状態で、一方のガットの上側と下側とを交互に頭部を指で摘みながら移動させることにより、一方のガットに他方のガットを交差させることができる。頭部を、進行方向に向かって膨らむ円弧面に形成する。進行方向側の一方のガットの上下に頭部を移動させる際に、前端部が一方のガットに摺動しても、円弧面に形成されているため、引っ掛かることなく、スムーズに移動させることができる。【選択図】図４
0003220683.tif 000002
【実用新案登録請求の範囲】
【請求項１】
ラケットに張られた一方のガットの上下を交互に移動させるための頭部と、
前記頭部の後端部に配置され、他方のガットを保持する尾部とを備えたラケットのガット張り支援器具。
【請求項２】
前記頭部は、進行方向側の前端部が、進行方向に向かって膨らむ円弧面に形成された請求項１記載のラケットのガット張り支援器具。
【請求項３】
前記尾部は、前記他方のガットの先端部が挿入される管状に形成された請求項１または２記載のラケットのガット張り支援器具。
【請求項４】
前記尾部の管径は、前記他方のガットの挿入側から、前記頭部の後端部側に向かって徐々に細くなるように形成された請求項３記載のラケットのガット張り支援器具。
【請求項５】
前記尾部は、ガットの挿入により弾性変形して拡径する樹脂製の管により形成された請求項３または４記載のラケットのガット張り支援器具。
【請求項６】
前記頭部の後端部は、前記尾部へ向かって徐々に細くなるように形成された請求項１から５のいずれかの項に記載のラケットのガット張り支援器具。
【請求項７】
前記頭部は、後端部の外周面が、円錐面に形成された請求項６記載のラケットのガット張り支援器具。
【請求項８】
前記頭部の後端部は、前記頭部となる球体と、前記尾部となるパイプの一端とを固定する接着剤により形成された請求項１から７のいずれかの項に記載のラケットのガット張り支援器具。
【考案の詳細な説明】
【技術分野】
【０００１】
本考案は、ラケットの一方のガットを張った後に交差する他方のガットを張ることを支援するラケットのガット張り支援器具に関するものである。
【背景技術】
【０００２】
ラケットのガットは、一般的には先にメインと称される縦糸が張られ、次にクロスと称される横糸を交差させるが、このとき、横糸は、縦糸の上方と下方とを交互に通しながら張られる。
最初に強く張られた縦糸の上下に、横糸を交互に通すことは面倒である。このような横糸を縦糸に対してスムーズに張るものとして特許文献１，２に記載の従来のラケットのガット張り支援装置が知られている。
【０００３】
特許文献１には、ラケットのフレーム打球部に予め張設されたガット縦糸を挿通挟持する一対の分割体からなり、分割体の各々のガット挿通孔をガット張設方向に交互に拡開するテーパ状に形成すると共に、分割体の正逆軸回動により各々のガット縦糸を交互に浮動させるラケットのガット張設装置が記載されている。
【０００４】
特許文献２には、ラケットフレームを装着してその縦軸ならびに横軸方向に押圧変形させる押圧具と、ラケットフレーム枠内の横軸方向に互いに密接して一列に配列され、枠ハドルの揺動により縦ガットを交互に上下動する昇降扞、昇降扞の両端任意本数はラケットフレームの下面以下に降下させるように係脱自在とし、最終段の送りが完了したときに送り装置の係合を断つようにしたラケットのガット張り装置が記載されている。
【０００５】
特許文献１，２に記載の従来のラケットのガット張り支援装置は、縦糸を押し上げたり、押し下げたりして、横糸を通すための直線状の隙間を作っている。
しかし、この従来のガット張り支援装置を用いて、強く張られた縦糸を押し上げたり、押し下げたりするにはかなり強い力が必要である。従って、機械的に縦糸を上下させると、縦糸に強く力が加わり、縦糸に損傷を及ぼすおそれがある。
【０００６】
そこで考案者は、先に張られた一方のガットに負担を掛けずにスムーズに他方のガットを交互に交差させることができるラケットのガット張り支援装置を開発した（特許文献３参照）。
【０００７】
特許文献３には、案内用糸が接続され、第１磁石により形成された編み部と、第１磁石が吸着する第２磁石がラケットのフェース面側に配置され、案内用糸が張られる方向へ操作される操作部とを備えたガット張り支援装置が記載されている。
【先行技術文献】
【特許文献】
【０００８】
【特許文献１】特開昭５９−２８９７７号公報
【特許文献２】特公昭４３−２３４０３号公報
【特許文献３】特許第６４４３８９４号公報
【考案の概要】
【考案が解決しようとする課題】
【０００９】
特許文献３に記載のガット張り支援装置によれば、第１磁石と第２磁石とを吸着させたり、離したりしながら、案内用糸を縦糸の上下を通過させることで横糸を張ることができるものではあるが、更に、簡単な構造で、容易にガット張りができるものが求められている。
【００１０】
そこで本考案は、簡単な構造で、容易にガット張りができるガット張り支援器具を提供することを目的とする。
【課題を解決するための手段】
【００１１】
本考案のラケットのガット張り支援器具は、ラケットに張られた一方のガットの上下を交互に移動させるための頭部と、前記頭部の後端部に配置され、他方のガットを保持する尾部とを備えたことを特徴とする。
【００１２】
本考案のラケットのガット張り支援器具によれば、尾部に他方のガットを保持させた状態で、一方のガットの上側と下側とを交互に頭部を指で摘みながら移動させることにより、一方のガットに他方のガットを交差させることができる。
【００１３】
前記頭部を、進行方向側の前端部が進行方向に向かって膨らむ円弧面に形成することができる。進行方向側の一方のガットの上下に頭部を移動させる際に、頭部の前端部が一方のガットに摺動しても、頭部の前端部が進行方向に向かって膨らむ円弧面に形成されているため、頭部の前端部に引っ掛かることなく、スムーズに移動させることができる。
【００１４】
前記尾部を、前記他方のガットの先端部が挿入される管状に形成することができる。尾部が、管状に形成されているため、尾部に他方のガットの先端部を挿入するだけで、簡単に尾部に他方のガットを保持させることができる。
【００１５】
前記尾部の管径を、前記他方のガットの挿入側から、前記頭部の後端部側に向かって徐々に細くなるように形成することができる。尾部の管径が、後端部側から前端部に向かって徐々に細くなるように形成されているため、尾部の挿入口は、尾部の奥部より広い。従って、ガット先端を容易に尾部に挿入させることができる。
【００１６】
前記尾部を、ガットの挿入により弾性変形して拡径する樹脂製の管により形成することができる。尾部が樹脂製の管により形成されているため、他方のガットの挿入により尾部が弾性変形して拡径するので、尾部に強く他方のガットを保持させることができる。
【００１７】
前記頭部の後端部を、前記尾部へ向かって徐々に細くなるように形成することができる。他方のガッドを一方のガットに通した後に他方のガットを引き抜く際に、頭部の後端部が尾部へ向かって徐々に細くなるように形成されていれば、頭部が一方のガットに邪魔されることなく引き抜くことができる。
【００１８】
前記頭部の後端部の外周面を、円錐面に形成することができる。頭部の後端部の外周面が円錐面に形成されていることで、後端部の外周面が一方のガットに摺動しながら頭部が後退するため、一方のガットが頭部の移動を妨げることなく、頭部をスムーズに元の方向へ後退させることができる。
【００１９】
前記頭部の後端部を、前記頭部となる球体と、前記尾部となるパイプの一端とを固定する接着剤により形成することができる。頭部の後端部が接着剤により形成されていることで、簡単に頭部の後端部を形成することができ、外周面を円錐面に成形することができる。
【考案の効果】
【００２０】
本考案のラケットのガット張り支援器具によれば、頭部を指で摘みながら移動させることにより、一方のガットに他方のガットを交差させることができるので、簡単な構造で、容易にガット張りができる。
【図面の簡単な説明】
【００２１】
【図１】本考案の実施の形態に係るガット張り支援器具を示す図である。
【図２】図１に示すガット張り支援器具の製造方法を説明するための図であり、（Ａ）は球体とパイプとを準備した状態の図、（Ｂ）は球体の後端部にパイプを球体の球面に対して直角に接触させた状態の図、（Ｃ）は接着剤が硬化して球体とパイプの一端部とが固定された状態の図である。
【図３】図１に示すガット張り支援装置の尾部に他方のガットの先端部を挿入することを説明するための図である。
【図４】図１に示すガット張り支援装置の頭部をガットの下側を通過させる操作を説明するための図である。
【図５】図１に示すガット張り支援装置の頭部をガットの上側を通過させる操作を説明するための図である。
【考案を実施するための形態】
【００２２】
本考案の実施の形態に係るラケットのガット張り支援器具を図面に基づいて説明する。なお、本実施の形態では、ラケットに張られた一方のガットに対して他方のガットを交差させるために移動する方向（進行方向側）を前、後退する方向を後ろとして説明する。
【００２３】
図１に示すガット張り支援器具１は、ラケットに張られた一方のガットＧ１（図３参照、以下、単にガットＧ１と称する場合がある。）の上下を交互に移動させるための頭部２と、頭部２の後端部に配置され、他方のガットＧ２（以下、単にガットＧ２と称する場合がある。）を保持する尾部３とを備えている。
【００２４】
頭部２は、前端部２ａが進行方向に向かって膨らむ円弧面に形成され、頭部２の後端部２ｂは、尾部３へ向かって徐々に細くなるように形成されている。本実施の形態では、頭部２の前端部２ａが半球状に形成されており、頭部２の後端部２ｂは、外周面が、円錐面に形成されている。
【００２５】
尾部３は、ガットＧ２の先端部が挿入される管状に形成されている。本実施の形態では、ラケットがバトミントン用であれば、ガットが７ｍｍ程度であるため、管径の挿入側が７ｍｍより少し大きいものが使用できる。尾部３の管径は、ガットＧ２の挿入側（後端部３ｂ側）から、頭部の後端部側（前端部３ａ側）に向かって徐々に細くなるように形成されている。
尾部３は、ガットＧ２を挿入したときに弾性変形により拡径しながらガットＧ２を受入れ、ガットＧ２を挟持する樹脂製の管とするのが望ましい。
【００２６】
次に、本実施の形態に係るガット張り支援器具１の製造方法について、図面に基づいて説明する。
図２（Ａ）に示すように、頭部２となる球状の金属玉である球体Ｂと、尾部３となるパイプＰとを準備する。
次に、球体Ｂの後端部にパイプＰを取り付ける。このとき、図２（Ｂ）に示すように、球体Ｂの球面にパイプＰを球体Ｂの球面に対して直角に接触させ、図２（Ｃ）に示すように、接着剤ＣをパイプＰの一端部Ｐ１の周囲に円錐形状に付着させる。
接着剤Ｃが硬化すると、球体Ｂと、パイプＰの一端部Ｐ１とが固定され、頭部２の後端部２ｂが形成される。
このようにして、ガット張り支援器具１を製造することができる。
【００２７】
次に、本実施の形態に係るガット張り支援器具１の使用方法について、図面に基づいて説明する。
まず、ラケットには、図４および図５に示すように、一方のガットＧ１が張られているものとする。一般的には、メインと称される縦糸が先に張られ、クロスと称される横糸が後に張られるため、この場合、一方のガットＧ１は、ラケットのシャフトに沿った方向に張られる縦糸となる。
【００２８】
図１および図３に示すように、最初に、尾部３にガットＧ２の先端部を挿入する。尾部３が、管状に形成されているため、尾部３にガットＧ２の先端部を挿入するだけで、簡単に尾部３にガットＧ２を保持させることができる。
また、尾部３の管径が、後端部３ｂ側から、前端部３ａに向かって徐々に細くなるように形成されているため、尾部３の挿入口３ｃは、尾部３の奥部より広い。従って、ガット先端を容易に尾部３に挿入させることができる。
更に、ガットＧ２を尾部３に挿入して、尾部３の内周面にガットＧ２の先端部を摺動させながら奥へ押し込めば押し込むこむほど、尾部３の内側面がきつくガットＧ２を挟持する。特に、尾部３が樹脂製の管により形成されているため、ガットＧ２の挿入により尾部３が弾性変形して拡径するので、尾部３に強くガットＧ２を保持させることができる。
【００２９】
ガット張り支援器具１にガットＧ２が取り付けられると図４に示すように、一方の手（例えば、左手。）でラケットのフレームＦ、シャフトまたはグリップを持ち、楕円状のフレームＦ越しに、他方の手（例えば、右手。）の人差し指または中指、人差し指と中指との間でガット張り支援器具１の頭部２を下から支えながら、親指で上から押さえて、頭部２を摘む。そして、親指の腹で頭部２を押し進めながらガットＧ１の上側を通過させ、次のガットＧ１の下方へ移動させる。
【００３０】
次に、図５に示すように、人差し指または中指の腹で頭部２を押し上げながら、または人差し指と中指との間に位置させて頭部２を押し上げながら、ガットＧ１同士の間を通過させ、次のガットＧ１の上に位置させる。
これを、フレームＦに沿って手を移動させながら繰り返すことにより、ガットＧ１に対して、ガットＧ２を上下交互に通過させることができる。
そして、フレームＦの幅方向の一端から他端まで、ガットＧ１の上下にガット張り支援器具１を通すことができれば、ガットＧ２を尾部３から引き抜く。
ガットＧ２は、尾部３に差し込んでいるだけであるため、ガットＧ２を尾部３から引っ張ることで、簡単にガットＧ２を尾部３から取り外すことができる。
【００３１】
このように本考案の実施の形態に係るガット張り支援器具１によれば、ガットＧ１の上側と下側とを交互に頭部２を指で摘みながら移動させることにより、ガットＧ２をガットＧ１に交差させることができる。従って、ガット張り支援器具１は、簡単な構造でありながらも、容易にガット張りができる。
【００３２】
進行方向側のガットＧ１の下側と上側とを交互に頭部２を移動させる際に、頭部２の前端部２ａがガットＧ１に摺動しても、頭部２の前端部２ａが円弧面に形成されているため、頭部２の前端部２ａに引っ掛かることなく、スムーズに移動させることができる。
【００３３】
ガットＧ１の上下にガット張り支援器具１を通したが張り直したいときには、尾部３に挿入されたガットＧ２を引く。
ガットＧ２が引かれることで、ガットＧ２と共に、ガット張り支援器具１が後退方向へ移動する。ガットＧ２はガットＧ１の上下を交互に通しているため、ガットＧ２を引くと頭部２がガットＧ１の上から下、下から上へ移動するので、頭部２は抜け難い状態である。
しかし、頭部２の後端部２ｂの外周面が円錐面に形成されていることで、後端部２ｂの外周面がガットＧ１に摺動しながら頭部２が後退するため、ガットＧ１が頭部２の移動を妨げることなく、頭部２をスムーズに元の方向へ後退させることができる。
【００３４】
この頭部２の後端部２ｂは、図２に示すように、頭部２となる球体Ｂと、尾部３となるパイプＰの一端とを固定する接着剤Ｃにより形成されているため、簡単に頭部２の後端部２ｂの外周面を円錐面に成形することができる。
【産業上の利用可能性】
【００３５】
本考案のラケットのガット張り支援器具は、テニスやバトミントンなどのガット張りに好適である。
【符号の説明】
【００３６】
１  ガット張り支援器具
２  頭部
２ａ  前端部
２ｂ  後端部
３  尾部
３ａ  前端部
３ｂ  後端部
３ｃ  挿入口
Ｂ  球体
Ｂ１  後端部
Ｐ  パイプ
Ｐ１  一端部
Ｇ１  一方のガット
Ｇ２  他方のガット
Ｃ  接着剤
Ｆ  フレーム
【図１】
0003220683.tif 000003
【図２】
0003220683.tif 000004
【図３】
0003220683.tif 000005
【図４】
0003220683.tif 000006
【図５】
0003220683.tif 000007